(57)【要約】【課題】  合成樹脂からなるケースの取り付け穴部にインサート部材として一体に埋め込まれたリング状の金属製カラーを、確実にケースに保持できると共に、金型費、加工費を安価にできる電気部品を提供する。【解決手段】  合成樹脂からなるケース１と、ケース１の上下方向に貫通して設けられた取り付け穴部２ａと、取り付け穴部２ａにインサート部材として一体に埋め込まれたリング状の金属製カラー５とを備え、金属製カラー５の一部をケース１内に埋設させると共に、金属製カラー５の一方の端面をケース１の上面部２ｂから突出させた。【選択図】        図２
2006132597.tif 000002
【特許請求の範囲】
【請求項１】
合成樹脂からなるケースと、このケースの上下方向に貫通して設けられた取り付け穴部と、この取り付け穴部にインサート部材として一体に埋め込まれたリング状の金属製カラーとを備え、前記カラーの一部を前記ケース内に埋設させると共に、前記カラーの一方の端面を前記ケースの上面部から突出させたことを特徴とする電気部品。
【請求項２】
前記ケースの上面部には、前記カラーの突出部の略半周分を覆うと共に、前記カラーの突出高さに沿って前記カラーの突出方向とは直交する方向へ延びる厚肉部を形成し、この厚肉部に対向する前記カラーの略半周分を前記ケースの上面部から露出させたことを特徴とする請求項１記載の電気部品。
【請求項３】
前記ケースには、開口部の内底面に複数のコネクタ端子が配設されたコネクタ収納部が設けられており、このコネクタ収納部の開口方向と同一方向に前記カラーの露出部を形成したことを特徴とする請求項２記載の電気部品。
【請求項４】
前記ケースには、前記取り付け穴部、及び前記カラーを複数個設けると共に、前記コネクタ収納部の開口方向と重なる位置に設けられた前記取り付け穴部、及び前記カラーに、前記肉厚部と前記露出部を形成したことを特徴とする請求項３記載の電気部品。
【発明の詳細な説明】
【技術分野】
【０００１】
本発明は、合成樹脂等からなる樹脂ケースの取り付け穴部にインサート部材として埋め込まれる金属製のカラー（リング）を備えた電気部品の構造に関する。
【背景技術】
【０００２】
従来の電気部品の構造としては、プラスチックケースの取り付け穴部に、インサート部材として取り付けネジに相応した材質のインサートリングを埋め込み、取りつけ穴部を機械的に強化すると共に、大きな温度変化に伴う取り付けネジの膨張収縮にインサートリングが追従して締め付け力の低下を防止するようにした構成のものが知られている（例えば、特許文献１参照）。
【０００３】
この従来の電気部品の構造の一例を図４、及び図５に示す。図４は従来の電気部品の断面図、図５は他の従来の電気部品の断面図である。
【０００４】
図４において、樹脂成形品からなるプラスチックケース５１の高さｈなる取り付け穴部５２には、高さｈ、内径ｄなる円筒状の金属製インサートリング５３がプラスチックケース５１の成形加工時に一体成形されている。このインサートリング５３は、円筒状の鉄製パイプ材または黄銅パイプ材などを素材として切削加工されて形成されており、その外周面にはローレット加工等の抜け止め部が設けられている。
尚、インサートリング５３の高さｈとプラスチックケース５１の取り付け穴部５２の高さｈとは同じ寸法で形成されている。
【０００５】
図５は異なる従来のインサートリング６３を示しており、インサートリング６３にはＳ字状に湾曲した抜け止め部６４が設けられており、成形樹脂と一体化した時点で、強固な抜け止め強度が得られるものとなっている。この場合、つば状部分６６の中央に貫通穴６５が設けられ、この貫通穴６５の内径ｄが取り付けネジの締め付け部となっている。
尚、この場合にも、成形後のインサートリング６３の高さｈとプラスチックケース５１の取り付け穴部６２の高さｈとは同じ寸法となるように形成されている。
【０００６】
【特許文献１】特開平８−１３２１６２号公報
【発明の開示】
【発明が解決しようとする課題】
【０００７】
しかしながら、従来の電気部品の構造においては、インサートリングの高さｈとプラスチックケースの取り付け部の高さｈとは同じ寸法で形成されていることから、金属と樹脂材料が熱膨張や熱収縮率で異なることに起因して、インサートリングの高さｈよりもプラスティックケースの取り付け部の高さｈが大きくなった場合には、取り付けネジにより締め付けた時、取り付け部が変形してしまう虞があり、場合によっては、インサートリングが取り付け部から外れてしまうという問題があった。
このため、インサートリングの高さをプラスチックケースの取り付け部の高さよりも高く形成して、プラスチックケースの表面より突出させてインサート成形する方法が考えられるが、この時、プラスチックケースの取り付け部の近傍に他の部品構成がオーバーラップした場合には、２方向からの金型のスライドコアでは成形加工が困難となり、場所によっては３方向のスライドコアが必要となり、金型費、加工費が高くなってしまうという問題があった。
【０００８】
従って、本発明は上記した問題点を解決し、確実にカラー（インサートリング）をケースに保持できると共に、金型費、加工費を安価にできる電気部品を提供することを目的とする。
【課題を解決するための手段】
【０００９】
上記課題を解決するために本発明では第１の解決手段として、合成樹脂からなるケースと、このケースの上下方向に貫通して設けられた取り付け穴部と、この取り付け穴部にインサート部材として一体に埋め込まれたリング状の金属製カラーとを備え、前記カラーの一部を前記ケース内に埋設させると共に、前記カラーの一方の端面を前記ケースの上面部から突出させた構成とした。
また、第２の解決手段として、前記ケースの上面部には、前記カラーの突出部の略半周分を覆うと共に、前記カラーの突出高さに沿って前記カラーの突出方向とは直交する方向へ延びる厚肉部を形成し、この厚肉部に対向する前記カラーの略半周分を前記ケースの上面部から露出させた構成とした。
【００１０】
また、第３の解決手段として、前記ケースには、開口部の内底面に複数のコネクタ端子が配設されたコネクタ収納部が設けられており、このコネクタ収納部の開口方向と同一方向に前記カラーの露出部を形成した構成とした。
また、第４の解決手段として、前記ケースには、前記取り付け穴部、及び前記カラーを複数個設けると共に、前記コネクタ収納部の開口方向と重なる位置に設けられた前記取り付け穴部、及び前記カラーに、前記肉厚部と前記露出部を形成した構成とした。
【発明の効果】
【００１１】
上述したように、本発明の電気部品は、合成樹脂からなるケースと、ケースの上下方向に貫通して設けられた取り付け穴部と、取り付け穴部にインサート部材として一体に埋め込まれたリング状の金属製カラーとを備え、カラーの一部をケース内に埋設させると共に、カラーの一方の端面をケースの上面部から突出させたことから、ケースの取り付け穴部の高さよりもカラーの高さを大きく形成できるので、取り付けネジにより締め付けた時、取り付け穴部が変形してしまいカラーが取り付け穴部から外れてしまうことがなく、カラーを確実にケースに保持することができる。
また、ケースの上面部には、カラーの突出部の略半周分を覆うと共に、カラーの突出高さに沿ってカラーの突出方向とは直交する方向へ延びる厚肉部を形成し、厚肉部に対向するカラーの略半周分をケースの上面部から露出させたことから、カラーを確実にケースに保持できると共に、カラーをケースの上面部から突出させることができる。
【００１２】
また、ケースには、開口部の内底面に複数のコネクタ端子が配設されたコネクタ収納部が設けられており、コネクタ収納部の開口方向と同一方向にカラーの露出部を形成したことから、ケースの取り付け穴部の近傍にコネクタ収納部が重なった場合でも、２方向からの金型のスライドコアで成形加工が可能となり、金型費、加工費を安価にできる。
また、ケースには、取り付け穴部、及びカラーを複数個設けると共に、コネクタ収納部の開口方向と重なる位置に設けられた取り付け穴部、及びカラーに、肉厚部と露出部を形成したことから、ケースの任意の場所に、コネクタ収納部の形成位置に制約されることなく複数の取り付け穴部、及びカラーを突出して形成することができる。
【発明を実施するための最良の形態】
【００１３】
以下、本発明の実施の形態を図１乃至図３に示す。図１は本発明の実施例に係る電気部品を示す平面図、図２は本発明の電気部品を示す側面図、図３は本発明の電気部品の要部を示す部分断面図である。
【００１４】
本発明の電気部品は、例えば、自動車の排ガス還流装置の弁開度コントロールセンサや、ガソリンと空気との混合比をコントロールするセンサー、各種のエンコーダー等に用いられる電気部品であり、自動車の制御弁等を収納する制御弁収納容器等に取り付けネジ等の取り付け部材によって取り付けられて使用されるものとなっている。
【００１５】
図において、ケース１は、合成樹脂等の絶縁材から形成されており、方形状の基盤部２と、この基盤部２の略中央部で上下方向に突出して形成されたセンサー部３と、このセンサー部３に連設され前記基盤部２の上面側に形成されたコネクタ収納部４とから主に構成されている。
【００１６】
前記基盤部２には、上下方向に貫通する円形状の取り付け穴部２ａが複数個（本実施例では４個）設けられており、この取り付け穴部２ａには、リング状の金属板からなるカラー５がインサート成形等の方法で一体に埋設されている。
また、前記カラー５の一方の端面は、前記基盤部２の上面部２ｂから突出して形成されており、本実施例では、この突出部５ａは、略０．２ｍｍの高さに設定されている。また、前記カラー５の中間部には、図３に示すように抜け止め用の凹部５ｂが設けられている。
【００１７】
前記センサー部３には、図示しない、抵抗体や集電体等の導電パターンが形成された絶縁基板、導電パターンと摺接する接触子、絶縁基板に接続された接続端子等が内蔵されており、図示しない操作軸により接触子が摺動され、この摺動子の摺動に対応した抵抗変化値を検出して外部の制御手段へ出力するものとなっている。
【００１８】
前記コネクタ収納部４は、前記基盤部２の上面側に略Ｌ字状に立設されて配置されており、このＬ字の先端側には前記基盤部２の上面部２ｂの長手方向に沿って開口した開口部４ａが設けられている。また、この開口部４ａの内底面には、導電性の金属板からなる複数のコネクタ端子６が配設されており、このコネクタ端子６の他端側が、前記センサー部３との連設部を介して前記センサー部３の接続端子（図示せず）と電気的に接続されている。
【００１９】
また、前記コネクタ収納部４の上面側には係合爪４ｂが設けられており、前記コネクタ収納部４の開口部４ａに図示しない外部コネクタが装着された際に、前記係合爪４ｂと係合されるものとなっている。
【００２０】
また、前記基盤部２に設けられた複数個の前記取り付け穴部２ａ及び前記カラー５のうち、前記コネクタ収納部４の前記開口部４ａの開口方向と重なる位置に設けられた、前記取り付け穴部２ａ及び前記カラー５には、前記基盤部２の上面部２ｂに、前記カラー５の突出部５ａの略半周分を覆うと共に、前記カラー５の突出高さ（端面）に沿って前記カラー５の突出方向とは直交する方向へ延びる厚肉部（肉盛部）２ｃが連設して形成されている。
【００２１】
また、この場合、前記厚肉部２ｃは、前記コネクタ収納部４の前記開口部４ａの開口方向と同一方向に沿って、前記カラー５の基部から、前記コネクタ収納部４が前記基盤部２上にＬ字状に立設されているその基部まで、長尺状に連続して形成されている。また、この場合、前記厚肉部２ｃは、前記カラー５の前記突出部５ａの高さ寸法と同じ、略０．２ｍｍの高さに形成されている。
【００２２】
また、前記コネクタ収納部４の前記開口部４ａの開口方向と同一方向で、前記厚肉部２ｃに対向する反対側の前記カラー５の略半周分は、前記基盤部２の上面部２ｂから露出して形成されており、この露出部５ｃが前記カラー５の前記突出部５ａと同じ高さとなるように形成されている。
【００２３】
本発明の電気部品が、図示しない自動車の制御弁等を収納する制御弁収納容器等に、取り付けネジ等の取り付け部材によって取り付けられて使用される場合には、前記ケース１の基盤部２に設けられた複数の前記取り付け穴部２ａに一体に埋設された、前記カラー５に、図示しない取り付けネジ等で締め付けられて取り付けられるものとなる。
【００２４】
この場合、本発明の前記取り付け穴部２ａには、前記カラー５が、前記基盤部２の上面部２ｂよりも突出して設けられていることから、前記ケース１の前記取り付け穴部２ａの高さよりも、前記カラー５の高さを大きく形成できるので、取り付けネジにより締め付けた時、前記取り付け穴部２ａが変形してしまい、前記カラー５が前記取り付け穴部２ａから外れてしまうことがなく、前記カラー５を確実に前記ケース１に保持することができるものとなっている。
【００２５】
また、前記ケース１の上面部２ａには、前記カラー５の突出部５ａの略半周分を覆うと共に、前記カラー５の突出高さに沿って、前記カラー５の突出方向とは直交する方向へ延びる前記厚肉部２ｃを形成し、前記厚肉部２ｃに対向する前記カラー５の略半周分を、前記ケース１の上面部２ａから露出させるようにしたので、前記カラー５を確実に前記ケース１に保持できると共に、前記カラー５を前記ケース１の上面部２ａから突出させることができるものとなっている。
【００２６】
また、前記ケース１には、前記基盤部２の上面側に前記コネクタ収納部４が設けられており、このコネクタ収納部４には、前記基盤部２の上面部２ｂの長手方向に沿って開口した前記開口部４ａが設けられ、この開口部４ａの開口方向と直交する方向に前記取り付け穴部２ａ及び前記カラー５が配置されているが、上記実施例では、前記コネクタ収納部４の前記開口部４ａの開口方向と同一方向に前記カラー５の前記露出部５ｃを形成するようにしたので、前記ケース１の前記取り付け穴部２ａの近傍に前記コネクタ収納部４が重なった場合でも、前記ケース１を成形する場合には、２方向からの金型のスライドコアで成形加工が可能となり、金型費、加工費を安価にできるものとなっている。
【００２７】
また、上記実施例においては、前記ケース１には、前記取り付け穴部２ａ及び前記カラー５を複数個設けてあり、前記コネクタ収納部４の前記開口部４ａの開口方向と重なる位置に設けられた前記取り付け穴部２ａ及び前記カラー５には、前記基盤部２の上面部２ｂに、前記カラー５の突出部５ａの略半周分を覆うと共に、前記カラー５の突出高さ（端面）に沿って前記カラー５の突出方向とは直交する方向、すなわち、前記開口部４ａの開口方向に沿って奥側へ延びる前記厚肉部２ｃを形成し、また、前記厚肉部２ｃに対向する反対側の前記カラー５の略半周分を、前記基盤部２の上面部２ｂから露出させて前記露出部５ｃを形成するようにしたので、前記厚肉部２ｃと露出部５ｃを設けることにより３方向のスライドコアを用いることなく、２方向からの金型のスライドコアで成形加工が可能となるため、前記ケース１の任意の場所に、前記コネクタ収納部４の形成位置に制約されることなく、複数の前記取り付け穴部２ａ及び前記カラー５を突出させて形成することができるものとなっている。
【図面の簡単な説明】
【００２８】
【図１】本発明の実施例に係る電気部品を示す平面図である。
【図２】本発明の電気部品を示す側面図である。
【図３】本発明の電気部品の要部を示す部分断面図である。
【図４】従来の電気部品を示す断面図である。
【図５】従来の異なる電気部品を示す断面図である。
【符号の説明】
【００２９】
１：ケース
２：基盤部
２ａ：取り付け穴部
２ｂ：上面部
２ｃ：厚肉部
３：センサー部
４：コネクタ収納部
４ａ：開口部
４ｂ：係合爪
５：カラー
５ａ：突出部
５ｂ：凹部
５ｃ：露出部
６：コネクタ端子
【図１】
2006132597.tif 000003
【図２】
2006132597.tif 000004
【図３】
2006132597.tif 000005
【図４】
2006132597.tif 000006
【図５】
2006132597.tif 000007